(57)【要約】【課題】  カラー原稿を含む原稿の装置全体の小型化を図りつつ原稿面上の画像情報を良好に読み取ることができる原稿読み取り結像光学系及びそれを用いた画像読取装置を得ること。【解決手段】  画像読取装置であって、  前記結像光学素子は、複数のオフアキシャル反射面を有しており、前記結像光学素子の各オフアキシャル反射面における基準軸光線の折り曲げ方向は副走査断面内であり、前記画像情報は前記結像光学素子内で中間結像せずに前記ラインセンサー上に結像させており、  前記結像光学素子の光入射面と光射出面との間の光路の中央に絞りを設けたことを特徴とする。【選択図】  図１
2007053803.tif 000002
【特許請求の範囲】
【請求項１】
原稿が載置される原稿台と、主走査方向に伸びたラインセンサーと、前記原稿の画像情報を前記ラインセンサー上に結像させる結像光学素子と、を有する画像読取装置であって、
前記結像光学素子は、複数のオフアキシャル反射面を有しており、
前記結像光学素子の各オフアキシャル反射面における基準軸光線の折り曲げ方向は副走査断面内であり、
前記画像情報は前記結像光学素子内で中間結像せずに前記ラインセンサー上に結像させており、
前記結像光学素子の光入射面と光射出面との間の光路の中央に絞りを設けたことを特徴とする画像読取装置。
【請求項２】
前記結像光学素子に入射する基準軸光線の方向と前記結像光学素子から射出する基準軸光線の方向は同一方向である請求項１記載の画像読取装置。
【請求項３】
前記結像光学素子を構成する内部の媒質は空気であることを特徴とする請求項１又は２記載の画像読取装置。
【発明の詳細な説明】
【技術分野】
【０００１】
本発明は原稿読み取り結像光学素子及びそれを用いた画像読取装置に関し、特に各種収差がバランスよく補正され、高解像力を有する小型の結像光学素子を用いたイメージスキャナーやデジタル複写機やファクシミリ等のラインセンサーを用いたモノクロ画像やカラー画像を読み取る際に好適なものである。
【背景技術】
【０００２】
本発明は原稿読み取り結像光学素子及びそれを用いた画像読取装置に関し、特に各種収差がバランスよく補正され、高解像力を有する小型の結像光学素子を用いたイメージスキャナーやデジタル複写機やファクシミリ等のラインセンサーを用いたモノクロ画像やカラー画像を読み取る際に好適なものである。
【０００３】
従来より、原稿面上の画像情報を読み取る画像読取装置（イメージスキャナー）として、フラットベッド型のイメージスキャナーが例えば特許文献１で提案されている。
【０００４】
フラットベッド型のイメージスキャナーは結像レンズとラインセンサーを固定し、反射ミラーのみを移動させることによって原稿面をスリット露光走査して、画像情報を読み取っている。
【０００５】
近年、装置の構造の簡略化をはかるためミラー、結像レンズ、ラインセンサー等を一体化して原稿面を走査するキャリッジ一体型走査方式が採用される場合が多くなってきた。
【０００６】
図３２は従来のキャリッジ一体型走査方式の画像読取装置の要部概略図を示す。同図において、照明光源１から放射された光束は直接原稿台２に載置した原稿８を照明し、該原稿８からの反射光束を順に第１、第２、第３反射ミラー３ａ、３ｂ、３ｃを介してキャリッジ６内部でその光路を折り曲げ、結像レンズ（結像光学系）４によりラインセンサー５面上に結像させている。そしてキャリッジ６を副走査モーター７により図３２に示す矢印Ａ方向（副走査方向）に移動させることにより原稿８の画像情報を読み取っている。同図におけるラインセンサー５は複数の受光素子を１次元方向（主走査方向）に配列して構成により成っている。
【０００７】
図３３は図３２の画像読み取り光学系の基本構成の説明図である。
図中４は結像光学系、５Ｒ，５Ｇ，５Ｂは各々ラインセンサー５のＲ（赤色），Ｇ（緑色），Ｂ（青色）の各色を読み取るラインセンサー、８Ｒ，８Ｇ，８Ｂはラインセンサー５Ｒ，５Ｇ，５Ｂに対応する原稿面上の読み取り範囲である。図３２に示す画像読取装置では静止している原稿面をキャリッジ６が走査しているが、キャリッジ走査は図３３のようにラインセンサー５及び結像レンズ４が静止していて原稿面８が移動することと等価である。原稿面を走査することによってある時間間隔をおいて同一箇所を異なる色で読み取ることができる。前記構成において結像レンズ４が通常の屈折系からなる場合には軸上色収差や倍率色収差が発生するので基準のラインセンサー５Ｇに対しラインセンサー５Ｂ，５Ｒに結像されるライン像にデフォーカスあるいは位置ズレが発生する。したがって各色画像を重ね合せて再現した時に色ニジミやズレの目立つ画像になる。すなわち高開口、高解像度の性能が要求される場合には要求に対応できなくなる。
【０００８】
一方最近、非共軸光学系においても、基準軸という概念を導入し構成面を非対称非球面にすることで、十分収差が補正された光学系が構築可能であることが明らかになってきた。例えば特許文献２にその設計法が、特許文献３、特許文献４にその設計例が示されている。
【０００９】
こうした非共軸光学系はオフアキシャル光学系（像中心と瞳中心を通る光線に沿った基準軸を考えた時、構成面の基準軸との交点における面法線が基準軸上にない曲面（オフアキシャル曲面）を含む光学系として定義される光学系で、この時、基準軸は折れ曲がった形状となる）と呼ばれる。このオフアキシャル光学系は、構成面が一般には非共軸となり、反射面でもケラレが生じることがないため、反射面を使った光学系の構築がしやすい。また、光路の引き回しが比較的自由に行なえる、構成面を一体形成する手法で一体型の光学系を作りやすいという特徴を持っている。
【特許文献１】特開平３−１１３９６１号公報
【特許文献２】特開平９−５６５０号公報
【特許文献３】特開平８−２９２３７１号公報
【特許文献４】特開平８−２９２３７２号公報
【発明の開示】
【発明が解決しようとする課題】
【００１０】
一方、デジタル複写機等の原稿読み取り系は高解像度、高速性が要求されるため一体型光学系で構成するにいたっていない。読み取り系に要求される結像レンズは明るくかつ高解像度を必要とするので光学性能を確保するには画角を大きくするのが難しい。画角が狭いとその結果光路長が長くなる。
【００１１】
一方、カラー画像の読み取りを行う場合には高解像度になるにしたがい色収差による色毎の結像位置差、画面内の色ズレ等の色収差が光学性能に悪影響を与える。
【００１２】
本発明は高速性、高解像度が要求されるデジタル複写機など原稿読み取り系において、キャリッジ一体型走査方式が容易に実現することができる原稿読み取り結像光学系及びそれを用いた画像読取装置の提供を目的とする。
【００１３】
この他本発明はデジタルカラー画像の読み取りにおいて、色収差がなくかつキャリッジ一体型走査方式が容易に実現することができる原稿読み取り結像光学系及びそれを用いた画像読取装置の提供を目的とする。
【００１４】
又、一般的に結像光学素子としてオフアキシャル反射面を用いた場合結像光束が遮光されないように基準軸光線は各オフアキシャル反射面に斜めに入射かつ反射するので本来非対称収差が発生する構成である。
【００１５】
本発明は結像光学系をオフアキシャル反射面で構成しても非対称収差の発生が少なく光学性能が大きく劣化しない原稿読み取り結像光学系及びそれを用いた画像読取装置の提供を目的とする。
【課題を解決するための手段】
【００１６】
請求項１の発明の画像読取装置は、原稿が載置される原稿台と、主走査方向に伸びたラインセンサーと、前記原稿の画像情報を前記ラインセンサー上に結像させる結像光学素子と、を有する画像読取装置であって、
前記結像光学素子は、複数のオフアキシャル反射面を有しており、
前記結像光学素子の各オフアキシャル反射面における基準軸光線の折り曲げ方向は副走査断面内であり、
前記画像情報は前記結像光学素子内で中間結像せずに前記ラインセンサー上に結像させており、
前記結像光学素子の光入射面と光射出面との間の光路の中央に絞りを設けたことを特徴としている。
【発明の効果】
【００１７】
本発明によれば、高速性、高解像度が要求されるデジタル複写機など原稿読み取り系において、キヤリッジ一体型走査方式が容易に実現することができる原稿読み取り用結像光学系及びそれを用いた画像読取装置を達成することができる。
【００１８】
この他本発明によれば、デジタルカラー画像の読み取りにおいて、色収差がなくかつキヤリッジ一体型走査方式が容易に実現することができる原稿読み取り結像光学系及びそれを用いた画像読取装置を達成することができる。
【００１９】
この他本発明によれば、結像光学系をオフアキシャル反射面で構成しても非対称収差の発生が少なく光学性能が大きく劣化しない原稿読み取り結像光学系及びそれを用いた画像読取装置を達成することができる。
【発明を実施するための最良の形態】
【００２０】
図１は本発明の画像読取装置に用いる画像読み取り結像光学系の実施形態１の説明図である。
図１（Ａ）は副走査断面図、図１（Ｂ）は主走査断面図、図１（Ｃ）は要部斜視図である。
【００２１】
図２は図１の画像読み取り結像光学系を一体型走査光学系の画像読取装置に適用したときの要部概略図である。
以下図面を用いて本発明の実施形態の詳細を説明する。
【００２２】
本発明の画像読取装置の結像光学系（画像読み取り結像光学系）は、主に曲率を有する複数のオフアキシャル反射面を含む結像光学素子を利用して、光路長が短くかつ基本的に色収差の発生が少ないように構成している。画像読み取り結像光学系はこの他、レンズやミラー等を有する場合もある。図１において結像光学素子４ａは内部媒質が光学樹脂で基準軸光線の入射光線ＬＰ１の方向と射出光線ＬＰ０の方向が異なり、かつ曲率を有するオフアキシャル反射面を５面（Ｒ３〜Ｒ７）有し、原稿面８上の画像をラインセンサー５に結像する機能を有している。各オフアキシャル反射面は前記ラインセンサー５のセンサーが配列されている方向（Ｘ方向）のラインと垂直な方向（Ｙ方向）の断面すなわち副走査断面（ＹＺ断面）内で光路を折り曲げる構成をとっている。
【００２３】
また基準軸光線を反時計回り方向に偏向させるオフアキシャル反射面をプラス偏向面、基準軸光線を時計回り方向に偏向させるオフアキシャル反射面をマイナス偏向面と定義している。このとき、図１の結像光学素子４ａは原稿面８側から順に面Ｒ３はプラス、面Ｒ４はプラス、面５Ｒはマイナス、面Ｒ６はマイナス、面Ｒ７はプラスの偏向面の配列となっている。
【００２４】
その結果、射出面Ｒ８より、射出する基準軸光線ＬＰ０の方向は入射する基準軸光線ＬＰ１の方向に対しほぼ直角に射出される。偏向面の配列をプラス偏向面が連続させた後にマイナス偏向面が連続させることによって入射光線に対し光路がほぼ直交方向に進むことになるので、結像光学素子４ａは空間的に効率よい配置をとることができる。
【００２５】
図１（Ａ）はラインセンサー５のライン方向（Ｘ方向）に垂直な断面すなわち副走査断面、図１（Ｂ）はラインセンサー５のライン方向に平行な断面すなわち主走査断面（ＸＺ断面）の光路を示している。また図１（Ｃ）は前記結像光学素子４ａの光路の斜視図を示している。
【００２６】
図１（Ａ）、（Ｂ）からわかるように主走査断面では絞り面ＳＰから離れるほど光束巾が広がっていくが、副走査断面では光束巾は各面によらずほとんど変化しない。すなわち結像光学素子４ａの射出面Ｒ８におけるラインセンサー５のライン方向（Ｘ方向）と垂直方向すなわち副走査方向（Ｙ方向）の有効光束巾をφｓ、ラインセンサー５のライン方向すなわち主走査方向（Ｘ方向）の有効光束巾φｍとした時、次の条件が満足される。
【００２７】
φｓ＜φｍ
したがって、画像読取装置をコンパクトに構成するためには光路を副走査断面で折り曲げる方がよい。この光路の折り曲げによりキャリッジ一体型走査光学系に適した構成をとることができる。実施形態１において各オフアキシャル反射面の収束力は正の収束力と負の収束力が交互に配列されるように構成して良好な結像性能が得られるようにしている。
【００２８】
反射面同士の構成では互いに光路を遮らないように構成するには各面同士の間隔をある程度おおきくとらざるを得ない。したがって近くに異なる特性の面を配置して収差を補正するのがよい。そのため収束力の配置は交互に正、負が配列するのがよい。
【００２９】
実施形態１では原稿面の像は結像光学素子４ａ内において中間結像せず、結像光学素子４ａを射出した後に直接ラインセンサー５上に結像するように構成している。これによって各オフアキシャル反射面の曲率が緩くできるので各反射面で発生する収差を抑えやすくなる。結像光学素子４ａ内で中間結像しない構成のため、ラインセンサー５のライン方向（Ｘ方向）では絞りＳＰから離れるほど光束は広がる。実施形態１では絞りＳＰを結像光学素子４ａの光路中の中央付近にあるオフアキシャル反射面に設定して主走査方向において結像光学素子４ａの入射面Ｒ２と射出面Ｒ８の有効光束が大きくならないようにしている。これも結像光学素子４ａのコンパクトな構成に寄与する。
【００３０】
以上な構成とした上でオフアキシャル反射面を自由曲面として所望の光学性能を確保している。また実施形態１においては入射面Ｒ２と射出面が屈折面Ｒ８のため色収差を発生させる要因となる。そこで両面とも自由曲面として色収差の発生を抑えかつ色収差以外の収差補正も行っている。実施形態１ではオフアキシャル反射面間の媒質を光学的に透明なプラスチックＰＭＭＡで構成している。なおガラスで構成しても良い。
【００３１】
図２は図１の実施形態１の結像光学素子４ａを用いてカラー画像又はモノクロ画像を読み取る原稿読取装置を構成した例である。本発明の画像読取装置がカラー画像を対象とするときは図３３で示したセンサーを用いている。
【００３２】
図中、１は光源、２は原稿台ガラス、３ａ，３ｂは第１、第２反射ミラー、４ａは結像光学素子、５はＣＣＤ等で構成されるラインセンサー、６はキャリッジ（筐体）である。
【００３３】
原稿台ガラス２の上に載置された原稿８をミラー３ａ，３ｂを介して結像光学素子４ａによりラインセンサー５上に結像して原稿８の１ラインを読み取ることができる。原稿読取装置をコンパクトに構成するために第１、第２反射ミラー３ａ，３ｂにより光路を折り畳んでいる。結像光学素子４ａも光路を折り畳むのに寄与している。光学結像素子４ａを用いることによりキャリッジ一体型光学系の原稿読取装置を２枚のミラーと結像光学素子から成る少ない光学部品で構成することができる。
【００３４】
図３２の従来の構成と対比すると結像光学素子のみで光路をほぼ直角に折り曲げているのでミラー１枚を結像光学系に含めた構成をとったことに相当し、画像読み取り装置を簡単な構成にすることができる。このキャリッジ一体型光学系はラインセンサーのライン方向（Ｘ方向）に垂直な方向すなわち副走査方向（Ｙ方向、Ａ方向）に原稿８とキャリッジ６とを相対的に走査することによって原稿８面を２次元的に読み取っている。
【００３５】
図３に実施形態１のラインセンサーのライン方向の５点（像高）についての収差図を示す。図中のＸは原稿面上の高さを表す。
【００３６】
図４は本発明の結像光学素子の実施形態２の要部断面図である。
実施形態２の結像光学素子４ｂは基準軸光線の入射面Ｒ２に対する射出面Ｒ９の方向が同一であり、曲率を有するオフアキシャル反射面のみ６面（Ｒ３〜Ｒ８）で構成されている。反射面間の媒質は空気であり、基本的に色収差が発生しない中空構成である。偶数回の反射により入射光線の方向と射出光線の方向はほぼ同方向になる。
【００３７】
図４の結像光学素子４ｂは原稿面８側から順に面Ｒ３はプラス、面Ｒ４はマイナス、面Ｒ５はマイナス、面Ｒ６はプラス、面Ｒ７はプラス、面Ｒ８はマイナスの偏向面の配列となっている。
【００３８】
その結果、射出する基準軸光線の方向は入射する基準軸光線の方向に対しほぼ同方向に射出される。偏向面の配列をマイナス偏向面が連続する組とプラズ偏向面が連続する組を交互に配列することによって入射光線に対し光路がほぼ平行方向に進むことになるので、結像光学素子４ｂは空間的に効率よい配置をとることができる。
【００３９】
実施形態２では実施形態１と同様、結像光学素子４ｂ内での中間結像をせず、直接、ラインセンサー５上に原稿像が形成されるようにして各オフアキシャル反射面の曲率が緩く構成できるようにしている。さらに絞りＳＰを結像光学素子４ｂの光路中の中央付近に配置して結像光学素子４ｂの入射面Ｒ２および射出面Ｒ９の有効光束が大きくならないようにしている。
【００４０】
図５は実施形態２の光学結像素子４ｂを原稿読取装置に適用した例である。図中の構成部品は図２とほぼ同様である。３Ｃはミラーである。図５では従来の複数枚で構成されていた結像レンズを少ない構成要素から成る結像光学素子４ｂで置き換えることができる。結像光学素子４ｂは色収差が発生しない構成であるため色ズレのないカラー読み取りが可能なキャリッジ一体型光学系を容易に構成することができる。
【００４１】
図６に実施形態２のラインセンサーのライン方向の５点（像高）における収差図を示す。図中のＸは原稿面上の高さを表す。
【００４２】
図７は本発明の結像光学素子４ｃの実施形態３の要部断面図である。実施形態３の結像光学素子は反射面が６面（Ｒ３〜Ｒ８）、反射面間の媒質は空気で構成されている。したがって結像光学素子４ｃは色収差が発生しない構成である。偶数回の反射により入射光線の方向に対し射出光線の方向はほぼ反対方向になる。
【００４３】
図７の結像光学素子４ｃは原稿面８側から順に面Ｒ３はプラス、面Ｒ４はプラス、面Ｒ５はマイナス、面Ｒ６はマイナス、面Ｒ７はプラス、面Ｒ８はプラスの偏向面の配列となっている。その結果、射出する基準軸光線の方向は入射する基準軸光線の方向に対しほぼ逆方向に射出される。偏向面の配列をプラス偏向面が連続する組とマイナス偏向面が連続する組を交互に配列することによって入射光線に対し光路がほぼ直交方向に進むことになるので、結像光学素子４ｃは空間的に効率よい配置をとることができる。
【００４４】
実施形態３では実施形態１と同様、結像光学素子４ｃ内での中間結像をせず、直接ラインセンサー５上に原稿像が形成されるようにして各オフアキシャル反射面の曲率が緩く構成できるようにしている。さらに絞りＳＰを結像光学素子４ｃの光路中の中央付近に配置して結像光学素子４ｃの入射面Ｒ２および射出面Ｒ９の有効光束が大きくならないようにしている。
【００４５】
図８は実施形態３の光学結像素子４ｃを原稿読取装置に適用した例である。図中の構成部品は図２とほぼ同様である。図８では結像光学素子４ｃは入射光線の方向を反対にして射出するので、光路を２回折り曲げたことに相当し図２の原稿読取装置と同様に従来に対し反射ミラーを減少させることができる。さらにラインセンサー５の配置はコンパクトな構成が可能となる。
【００４６】
図９に実施形態３のラインセンサーのライン方向の５点（像高）における収差図を示す。図中のＸは原稿面上の高さを表す。
【００４７】
図１０〜図１４は本発明の結像光学素子の実施形態４〜８の要部断面図である。
図１０〜図１４の結像光学素子は、主に複数の反射面で結像作用を有している。いずれも反射面が５面の場合である。原稿読取装置の中の反射ミラーの構成にあわせて選択することによりコンパクトな配置がとることができる。なお反射面が６面以上の場合も反射面の組み合わせでいくつかの構成が可能であり原稿読取装置にあわせて選択することができる。
【００４８】
図１５は本発明の結像光学素子の実施形態９の要部断面図である。
図１６は実施形態９の結像光学素子を原稿読取装置に適用した例である。
実施形態９の結像光学素子４ｄは反射面が５面（Ｒ３，Ｒ４，Ｒ６〜Ｒ８）、反射面間の媒質は空気で構成されている。したがって結像光学素子４ｄは色収差が発生しない構成である。
【００４９】
図１５の結像光学素子４ｄは原稿面８側から順に面Ｒ３はプラス、面Ｒ４はマイナス、面Ｒ６はプラス、面Ｒ７はマイナス、面Ｒ８はマイナスの偏向面の配列となっている。この構成により反射ミラー３ｂから射出された光束を結像光学素子４ｄ内で最初の反射ミラー側に折り曲げた後、反射ミラーと反対方向に光束を射出させる構成である。
【００５０】
すなわち、奇数回の反射により射出する基準軸光線の方向は入射する基準軸光線の方向に対しほぼ直角方向になる。光路を繰り返し折り曲げる２枚の反射ミラー３ａ，３ｂから射出する光束を前記結像光学素子４ｄで結像させ、かつ結像光学素子４ｄ内の光路を反射ミラーと反対方向に向かうように入射方向に対し直角方向に折り曲げて空間的に効率よい配置をとることができる。
【００５１】
実施形態９では実施形態１と同様、結像光学素子４ｄ内での中間結像をせず、直接ラインセンサー５上に原稿像が形成される構成として各オフアキシャル反射面の曲率が緩くしている。さらに絞りＳＰを結像光学素子４ｄの光路中の中央付近に配置して結像光学素子の入射面Ｒ２および射出面Ｒ９の有効光束が大きくならないようにしている。図に示したように結像光学素子４ｄが光路の折り曲げ作用を有するのでキャリッジ一体型走査方式の画像読み取り装置を２枚の反射ミラーと結像光学素子のみの簡単な構成で実現することができる。
【００５２】
図１７は本発明の結像光学素子の実施形態１０の要部断面図である。
図１８は実施形態１０の結像光学素子を原稿読取装置に適用した例である。
【００５３】
実施形態１０の結像光学素子４ｅは反射面が５面（Ｒ３，Ｒ４，Ｒ６〜Ｒ８）、反射面間の媒質は空気で構成されている。したがって結像光学素子４ｅは色収差が発生しない構成である。
【００５４】
図１７の結像光学素子４ｅは原稿面８側から順に面Ｒ３はマイナス、面Ｒ４はプラス、面Ｒ６はプラス、面Ｒ７はマイナス、面Ｒ８はプラスの偏向面の配列となっている。この構成によって反射ミラー３ｂから射出された光束は結像光学素子４ｅ内でほぼ直線的に下側に導かれた後反射ミラー側に射出される。
【００５５】
すなわち、奇数回の反射により射出する基準軸光線の方向は入射する基準軸光線の方向に対しほぼ直角方向に射出される。光路を繰り返し折り曲げる２枚の反射ミラー３ａ，３ｂから射出する光束を前記結像光学素子４ｅで結像させ、かつ光路を反射ミラーのある方向に向かうように入射方向に対しほぼ直交方向に折り曲げて空間的に効率よい配置をとることができる。
【００５６】
実施形態１０では実施形態１と同様、結像光学素子４ｅ内での中間結像をせず、直接ラインセンサー５上に原稿像が形成されるようにして各オフアキシャル反射面の曲率が緩く構成できるようにしている。さらに絞りＳＰを結像光学素子４ｅの光路中の中央付近に配置して結像光学素子４ｅの入射面Ｒ２および射出面Ｒ９の有効光束が大きくならないようにしている。図に示したように結像光学素子４ｅが光路の折り曲げ作用を有するのでキャリッジ一体型走査方式の画像読み取り装置を２枚の反射ミラーと結像光学素子４ｅのみの簡単な構成で実現することができる。
【００５７】
図１９は本発明の結像光学素子の実施形態１１の要部断面図である。
図２０は実施形態１１の結像光学素子を原稿読取装置に適用した例である。
【００５８】
実施形態１１の結像光学素子４ｆは反射面が６面（Ｒ３〜Ｒ５、Ｒ７〜Ｒ９）である。また結像光学素子４ｆ内の反射面間の媒質は空気である。したがって結像光学素子４ｆは色収差の発生しない構成である。
【００５９】
図１９の結像光学素子４ｆは原稿面８側から順に面Ｒ３はプラス、面Ｒ４はプラス、面Ｒ５はマイナス、面Ｒ７はプラス、面Ｒ８はプラス、面Ｒ９はマイナスの偏向面の配列となっている。図２０において反射ミラー３ａから射出された光束は結像光学素子４ｆ内で光路を折り曲げられた後ほぼ直線的に下側に導かれ射出される。
【００６０】
すなわち、結像光学素子４ｆから射出される基準軸光線の方向は入射する基準軸光線の方向に対しほぼ反対方向に射出される。光路を繰り返し折り曲げる２枚の反射ミラー４ａ，４ｂから射出する光束を前記結像光学素子４ｆで結像させ、かつ光路を反転させて下側方向に向かうように折り曲げて空間的に効率よい配置をとることができる。
【００６１】
実施形態１１では実施形態１と同様、結像光学素子４ｆ内での中間結像をせず、直接ラインセンサー５上に原稿像が形成される構成として各オフアキシャル反射面の曲率を緩くしている。さらに絞りＳＰを結像光学素子４ｆの光路中の中央付近に配置して結像光学素子４ｆの入射面Ｒ２および射出面Ｒ１０の有効光束が大きくならないようにしている。図に示したように結像光学素子が光路の折り曲げ作用を有するのでキャリッジ一体型の画像読み取り装置を２枚の反射ミラー４ａ，４ｂと結像光学素子４ｆのみの簡単な構成で実現することができる。この構成では光束の反射ミラー３ｂによる反射回数を減少できるので反射ミラー３ｂの小さく構成できる。
【００６２】
以上の結像光学素子４ｄ〜４ｆは自由曲面である反射面を用いることにより原稿面と結像光学素子との距離を従来の結像光学系より短縮し、キャリッジ一体型光学系の構成を実現している。
【００６３】
図２１は本発明の結像光学素子の実施形態１２の要部断面図である。本実施形態の結像光学素子の外形状は図１７の実施形態１０と同じである。
【００６４】
図２２は実施形態１２の結像光学素子を原稿読取装置に適用した例である。
【００６５】
図２１の結像光学素子は基準軸光線の入射光線の方向と射出光線の方向が異なりかつ曲率を有するオフアキシャル反射面を５面（Ｒ３，Ｒ４，Ｒ６〜Ｒ８）有し原稿面８をラインセンサー５に結像する機能を有している。反射面間の媒質は空気である。したがって結像光学素子４ｇは色収差の発生しない構成である。各オフアキシャル反射面は前記ラインセンサー５のライン方向と垂直な断面すなわち副走査断面内で光路を折り曲げる構成をとっている。
【００６６】
図２１の結像光学素子４ｇは原稿面８側から順に面Ｒ３はマイナス、面Ｒ４はプラス、面Ｒ６はプラス、面Ｒ７はマイナス、面Ｒ８はプラスの偏向面の配列となっている。その結果、射出する基準軸光線の方向は入射する基準軸光線の方向に対しほぼ直角に射出される。
【００６７】
図２１において反射面同士が交差する第２反射面Ｒ４と第３反射面Ｒ６の間に絞りＳＰを配置している。図２１（Ａ）はラインセンサーのライン方向に垂直な断面すなわち副走査断面、図２１（Ｂ）はラインセンサーのライン方向に平行な断面すなわち主走査断面の光路を示している。また図２１（Ｃ）は前記光路の斜視図を示している。
【００６８】
結像光学素子４ｇにおいて原稿面の像は結像光学素子内において中間結像せず、結像光学素子を射出した後に直接、ラインセンサー５上に結像するように構成している。これによって各オフアキシャル反射面の曲率が緩くできるので各反射面で発生する収差を抑えやすくなる。しかし反射面同士の構成では互いに光路を遮らないように構成するには各面同士の感覚をある程度おおきくとらざるを得ないが、結像光学素子内で中間結像しない構成のため、ラインセンサーのライン方向では絞りから離れるほど光束は広がる。
【００６９】
本実施形態では絞りＳＰを結像光学素子の光路中の中央付近に設定して主走査方向において結像光学素子の入射面と射出面の有効光束が大きくならないようにしている。オフアキシャル反射面では常に光束が斜めに入射および反射されるので非対称収差が発生するので、基本的に非対称収差が相殺される構成をとるのがよい。
【００７０】
そこで本実施形態では絞りＳＰの前後に配置されるオフアキシャル反射面が絞りに対しほぼ対称になるように交差する１組のオフアキシャル反射面を構成している。さらに構成上１組の交差するオフアキシャル反射面にそれぞれ隣接するオフアキシャル反射面は交差するオフアキシャル反射面と平行な配置をとらざるを得ず、隣接のオフアキシャル反射面同士が交差する構成をとる。したがってこの絞り配置は絞りを交差するオフアキシャル反射面の１つとそれに隣接するオフアキシャル反射面と一体的に構成できる。
【００７１】
図２２において、２は原稿台ガラス、３ａ，３ｂは第１、第２反射ミラー、４ｇは結像光学素子、５はＣＣＤ等で構成されるラインセンサーである。
【００７２】
原稿台ガラス２の上に載置された原稿８を結像光学素子４ｇによりラインセンサー５上に結像して原稿の１ラインを読み取ることができる。原稿読取装置をコンパクトに構成するために第１、第２反射ミラー３ａ，３ｂにより光路を折り畳んでいる。結像光学素子４ｇも光路を折り畳むのに寄与している。光学結像素子４ｇを用いることによりキャリッジ一体型光学系の原稿読取装置を２枚の反射ミラーと結像光学素子から成る少ない光学部品で構成することができる。
【００７３】
従来の構成と対比すると結像光学素子のみで光路をほぼ直角に折り曲げているのでミラー１枚を結像光学系に含めた構成をとったことに相当し、画像読取装置を簡単な構成にすることができる。このキャリッジ一体型光学系はラインセンサーのライン方向に垂直な方向すなわち副走査方向に走査することによって原稿面を２次元的に読み取っている。
【００７４】
図２３は本発明の結像光学素子の実施形態１３の要部断面図である。本実施形態の結像光学素子の外形状は図１７の実施形態１０と同じである。
図２４は実施形態１３の結像光学素子を原稿読取装置に適用した例である。
【００７５】
本実施形態の結像光学素子４ｈはオフアキシャル反射面が５面（Ｒ３，Ｒ４，Ｒ６〜Ｒ８）有し、反射面間の媒質は空気で構成される。したがって結像光学素子は色収差の発生しない構成である。
【００７６】
結像光学素子４ｈは原稿面８側から順に面Ｒ３はプラス、面Ｒ４はマイナス、面Ｒ６はマイナス、面Ｒ７はプラス、面Ｒ８はプラスの偏向面の配列となっている。結像光学素子４ｈより射出する基準軸光線の方向は入射する基準軸光線の方向に対しほぼ直角方向に射出される。この構成において反射面同士が交差する第２反射面Ｒ４と第３反射面Ｒ６の間に絞りＳＰを配置している。絞りＳＰが結像光学素子４ｈの光路中の中央付近に配置されているので結像光学素子の入射面および射出面の有効光束が大きくならない。
【００７７】
基本的に非対称収差が相殺される構成をとるのがよいので、絞りＳＰの前後に配置されるオフアキシャル反射面が絞りＳＰに対しほぼ対称になるように交差する１組のオフアキシャル反射面を構成している。図２５は本発明の結像光学素子の実施形態１４の要部断面図である。本実施形態の結像光学素子の外形状は図１の実施形態１と同じである。
【００７８】
図２６は実施形態１４の結像光学素子を原稿用読取装置に適用した例である。
結像光学素子４ｉは反射面が５面（Ｒ３〜Ｒ７）、反射面間の媒質は空気で構成されている。したがって結像光学素子４ｉは色収差の発生しない構成である。結像光学素子４ｉは原稿面８側から順に面Ｒ３はプラス、面Ｒ４はプラス、面Ｒ５はマイナス、面Ｒ６はマイナス、面Ｒ７はプラスの偏向面の配列となっている。この構成により結像光学素子４ｉより射出され基準軸光線は入射方向に対しほぼ直交方向に射出される。この構成においてオフアキシャル反射面同士が交差する第３反射面Ｒ５と第４反射面Ｒ６の間に絞りＳＰを配置している。
【００７９】
さらに絞りＳＰを結像光学素子４ｉの光路中の中央付近に配置して結像光学素子の入射面および射出面の有効光束が大きくならないようにしている。基本的に非対称収差が相殺される構成をとるのがよいので、絞りの前後に配置されるオフアキシャル反射面が絞りに対しほぼ対称になるように交差する１組のオフアキシャル反射面を構成している。図２７は本発明の結像光学素子の実施形態１５の要部断面図である。本実施形態の結像光学素子の外形状は図７の実施形態３と同じである。
【００８０】
図２８は実施形態１５の結像光学素子を原稿用読取装置に適用した例である。
結像光学素子４ｊは反射面が６面（Ｒ３〜Ｒ５，Ｒ７〜Ｒ９）である。反射面間の媒質は空気で構成される結像光学素子である。したがって結像光学素子４ｊは色収差の発生しない構成である。結像光学素子は原稿面８側から順に面Ｒ３はプラス、面Ｒ４はプラス、面Ｒ５はマイナス、面Ｒ７はマイナス、面Ｒ８はプラス、面Ｒ９はプラスの偏向面の配列となっている。この構成によって入射光束は結像光学素子内でほぼ直線的に下側に導かれた後、偶数回の反射により射出する基準軸光線の方向は入射する基準軸光線の方向に対しほぼ反対方向に射出される。
【００８１】
結像光学素子内での中間結像をせず、直接ラインセンサー５上に原稿像が形成されるようにして各オフアキシャル反射面の曲率が緩く構成できるようにしている。さらに絞りＳＰを反射面同士交差する第３反射面Ｒ５と第４反射面Ｒ７の間に配置している。絞りＳＰは結像光学素子４ｊの光路中の中央付近にあるので結像光学素子４ｊの入射面および射出面の有効光束が大きくならない。基本的に非対称収差が相殺される構成をとるのがよいので、絞りの前後に配置されるオフアキシャル反射面が絞りに対しほぼ対称になるように交差する１組のオフアキシャル反射面を構成している。
【００８２】
図２９は本発明の結像光学素子の実施形態１６の要部断面図である。
図３０は実施形態１６の結像光学素子を原稿用読取装置に適用した例である。
【００８３】
結像光学素子４ｋは反射面が６面（Ｒ３〜Ｒ５，Ｒ７〜Ｒ９）である。反射面間の媒質は空気で構成される結像光学素子である。したがって結像光学素子４ｋは色収差の発生しない構成である。結像光学素子４ｋは原稿面８側から順に面Ｒ３はプラス、面Ｒ４はプラス、面Ｒ５はマイナス、面Ｒ７はマイナス、面Ｒ８はプラス、面Ｒ９はマイナスの偏向面の配列となっている。この構成によって入射光束は結像光学素子内でほぼ直線的に下側に導かれた後、偶数回の反射により射出する基準軸光線の方向は入射する基準軸光線の方向に対しほぼ同方向に射出される。
【００８４】
結像光学素子内での中間結像をせず、直接ラインセンサー５上に原稿像が形成されるようにして各オフアキシャル反射面の曲率が緩く構成できるようにしている。さらに絞りＳＰを反射面同士交差する第３反射面Ｒ５と第４反射面Ｒ７の間に配置している。絞りＳＰは結像光学素子の光路中の中央付近にあるので結像光学素子の入射面および射出面の有効光束が大きくならない。基本的に非対称収差が相殺される構成をとるのがよいので、絞りＳＰの前後に配置されるオフアキシャル反射面が絞りに対しほぼ対称になるように交差する１組のオフアキシャル反射面を構成している。原稿読取装置の校正は実施形態１の基本的に同じである。
【００８５】
図３４は本発明の結像光学素子の実施形態１７の要部断面図である。
図３６は実施形態１７の結像光学素子を画像読み取り装置に適用した例である。
【００８６】
実施形態１７の結像光学素子４は基準軸光線の入射面Ｒ３に対する射出面Ｒ１１の方向が同一であり、曲率を有するオフアキシャル反射面のみ６面（Ｒ４〜Ｒ６、Ｒ８〜Ｒ１０）で構成されている。反射面間の媒質は空気であり、基本的に色収差が発生しない中空構成である。偶数回の反射により入射光線の方向と射出光線の方向はほぼ同方向になる。
【００８７】
図３４の結像光学素子４は原稿面８側から順に面Ｒ４はプラス、面Ｒ５はプラス、面Ｒ６はマイナス、面Ｒ８はプラス、面Ｒ９はマイナス、面Ｒ１０はマイナスの偏向面の配列となっている。
【００８８】
そして最も射出側にある面Ｒ１０を最も入射側にある面Ｒ４よりも入射基準軸において原稿側に配置している。この配置により４から射出して結像位置まで至る光路いわゆるバックフォーカスの部分を入射光が面４に至る部分までの下方にほぼ平行に配置することができ、空間的に効率の良い配置をとることができる。さらに基本的に非対称収差が相殺される構成をとるのが良いので、絞りＳＰの前後において配置されるオフアキシャル反射面は面Ｒ６がマイナスに対しＲ８面がプラス、面Ｒ５がプラスに対して面Ｒ９がマイナス、面Ｒ４がプラスに対して面Ｒ１０がマイナスとなり、絞り中心に１８０度回転させると同じになる構成となっている。
【００８９】
そして面Ｒ４から面Ｒ５に向かう光束を収斂させることで面Ｒ４以降にあるオフアキシャル反射面を小さくしている。さらにこのオフアキシャル反射面の少なくとも１つの面に赤外光をカットする効果をもたせることで、カラー画像の黒の部分が赤っぽくなることも防ぐことができる。赤外光カットの方法の１例としてダイクロ膜を蒸着もしくはディッピングにてオフアキシャル反射面を作成することが挙げられる。
【００９０】
図３６において、２は原稿台ガラス、３ａ，３ｂ，３ｃは第１、第２、第３反射ミラー、４は結像光学素子、５はＣＣＤ等で構成されるラインセンサーである。原稿台ガラス２の上に載置された原稿８を結像光学素子４によりラインセンサー５上に結像して原稿の１ラインを読み取ることができる。原稿読み取り装置をコンパクトに構成するために第１、第２、第３反射ミラー３ａ，３ｂ，３ｃにより光路を折り畳んでいる。ミラーと並列に配置して、従来とくらべミラーの下にレンズを配置する必要がないため、深さ（紙面上下）方向に薄くすることができる。さらにＣＣＤ等を副走査方向に配置しているため、深さ方向にＣＣＤ基盤等の出っ張りがなく薄くできる。
【００９１】
なお本発明の結像光学素子は、カラー複写機、モノクロの複写機、イメージスキャナー等の光学機器に適用できる。特にＦナンバーが明るくかつ色ずれのない高画質が要求されるカラーデジタル複写機に最適である。
【００９２】
本発明の実施形態においてラインセンサー上においてラインセンサーのライン方向に垂直の断面方向すなわち副走査方向とラインに平行方向すなわち主走査方向の性能がほぼ同一になるように入射側のＮＡを同一にしている。これを実現するために絞りにおいてラインセンサーのライン方向に垂直の断面内の開口巾とラインに平行方向の開口巾が異なるように設定している。オフアキシャル反射面は基本的にアジムス方向で曲率が異なるため結像光学素子内での光線の通り方も非対称になるからである。
【００９３】
非対称の絞りの方向をオフアキシャル反射面の方向とあわせて配置する必要があるので近接するオフアキシャル反射面と絞りとを一体的に構成するのがよい。
【００９４】
なおカラー複写機、モノクロの複写機、イメージスキャナーについては本発明の構成は適用可能である。
【００９５】
以上の各実施形態によれば、カラー及びモノクロの画像情報をラインセンサー及び結像光学系により読み取る画像読取装置において前記の結像光学系を複数の曲率を有するオフアキシャル反射面から成る結像光学素子で構成することによってカラー画像のときは色ズレがない高精細の画像読み取りできると同時にコンパクトな構成によりキャリッジ一体型光学系を実現している。
【００９６】
又、以上の各実施形態によれば、原稿をラインセンサー及び結像光学系により読み取るカラー画像読取装置において基準軸光線を複数回反射させる反射ミラーと曲率を有する複数のオフアキシャル反射面から成る結像光学素子で構成される読み取り光学系は簡単な構成でキャリッジ一体型光学系を実現できる。さらに結像光学素子４はほぼ反射面で構成されているので一体型光学系は色ズレのない高精細の画像読み取りを実現できる。
【００９７】
又、以上の実施形態によれば、画像情報をラインセンサー及び結像光学系により読み取るカラー及びモノクロの画像読取装置において前記結像光学系を複数の曲率を有するオフアキシャル反射面から成る結像光学素子で反射面及び絞りを適切に構成することによってカラー画像のときは色ズレのない高精細の画像読み取りが可能な高性能のキャリッジ一体型光学系を実現できる。
【００９８】
本発明の結像光学素子の実施形態の構成および数値の意味を明確にするために、本明細書中で使用のオフアキシャル光学系、及び、その骨組みとなる基準軸について以下のように定義する。
【００９９】
基準軸の定義
一般的には物体面から像面にいたる基準となる基準波長の光線の光路をその光学系における基準軸と定義する。これだけでは基準となる光線の選び方に曖昧性が残るので、通常は以下に示す２つの原則のいずれかにより基準光線すなわち基準軸を設定する。
【０１００】
◎光学系に部分的にでも対称性を有する軸が存在し、収差を対称性よくとりまとめることができる場合にはその対称性を有する軸上を通る光線を基準光線とする。
【０１０１】
◎光学系に一般的に対称軸が存在しない時、あるいは部分的には対称軸が存在しても、収差を対称性よくとりまとめることができる時には、物体面中心（被撮影、被観察範囲の中心）から出る光線のうち、光学系の指定される面の順に光学系を通り、光学系内に定義される絞り中心を通る光線を基準光線として設定する。
このようにして定義される基準軸は、折れ曲がっている形状となる事が一般的である。
【０１０２】
オフアキシャル光学系の定義
上記のように定義した基準軸が曲面と交わる点において、面法線が基準軸と一致しない曲面をオフアキシャル曲面と定義し、オフアキシャル曲面を含む光学系をオフアキシャル光学系と定義する。（但し、平面反射面によって基準軸が単純に折れ曲がっている場合も面法線が基準軸と一致しないが、その平面反射面は収差の対称性を損なわないので、オフアキシャル光学系の対象から除外する。）
本発明の実施形態においては、光学系の基準となる基準軸を上記の様に設定したが、光学系の基準となる軸の決め方は光学設計上、収差の取り纏め上、若しくは光学系を構成する各面形状を表現する上で都合の良い軸を採用すれば良い。
【０１０３】
しかし、一般的には像面又は観察面の中心と、絞り又は入射瞳又は射出瞳又は光学系の第１面の中心若しくは最終面の中心のいずれかを通る光線の経路を光学系の基準となる基準軸に設置する。
【０１０４】
つまり、本発明の実施形態においては、基準軸はラインセンサー５（結像面）の中心点を通り、像面の中心へ至る光線（基準軸光線）が反射面によって反射する経路を基準軸に設定している。各面の順番は基準軸光線が反射を受ける順番に設定している。
【０１０５】
従って基準軸は設定された各面の順番に沿って反射の法則に従ってその方向を変化させつつ、最終的に像面の中心に到達する。
【０１０６】
本発明の各実施例の光学系を構成するチルト面は基本的にすべてが同一面内でチルトしている。そこで、絶対座標系の各軸を以下のように定める。（図３１参照）
Ｚ軸：原点を通り第２面に向かう基準軸
Ｙ軸：原点を通りチルト面内（図３１の紙面内）でＺ軸に対して反時計回りに９０°をなす直線
Ｘ軸：原点を通りＺ，Ｙ各軸に垂直な直線（図３１の紙面に垂直な直線）
又、光学系を構成する第ｉ面の面形状を表すには、絶対座標系にてその面の形状を表記するより、基準軸と第ｉ面が交差する点を原点とするローカル座標系を設定して、ローカル座標系でその面の面形状を表した方が形状を認識する上で理解し易い為、本発明の構成データを表示する実施例では第ｉ面の面形状をローカル座標系で表す。
【０１０７】
また、第ｉ面のＹＺ面内でのチルト角は絶対座標系のＺ軸に対して反時計回り方向を正とした角度θｉ（単位°）で表す。よって、本発明の実施形態では各面のローカル座標の原点は図３１中のＹＺ平面上にある。
【０１０８】
またＸＺおよびＸＹ面内での面の偏心はない。さらに、第ｉ面のローカル座標（ｘ，ｙ，ｚ）のｙ，ｚ軸は絶対座標系（Ｘ，Ｙ，Ｚ）に対してＹＺ面内で角度θｉ傾いており、具体的には以下のように設定する。
ｚ軸：ローカル座標の原点を通り、絶対座標系のＺ方向に対しＹＺ面内において反時計方向に角度θｉをなす直線
ｙ軸：ローカル座標の原点を通り、ｚ方向に対しＹＺ面内において反時計方向に９０°をなす直線
ｘ軸：ローカル座標の原点を通り、ＹＺ面に対し垂直な直線
【０１０９】
また、本発明の実施例における光学結像素子は回転非対称の非球面を有し、その形状は以下の式により示す。
ｚ＝Ｃ０２ｙ２＋Ｃ２０ｘ２＋Ｃ０３ｙ３＋Ｃ２１ｘ２ｙ＋Ｃ０４ｙ４＋Ｃ２２ｘ２ｙ２＋Ｃ４０ｘ４＋Ｃ￥０５ｙ５＋Ｃ２３ｘ２ｙ３＋Ｃ４１ｘ４ｙ＋Ｃ０６ｙ６＋Ｃ２４ｘ２ｙ４＋Ｃ４２ｘ４ｙ２＋Ｃ６０ｘ６
【０１１０】
なお球面は以下の式で表される形状である。
ｚ＝（（ｘ２＋ｙ２）／ｒｉ）／（１＋（１−（ｘ２＋ｙ２）／ｒｉ）１／２上記曲面式はｘに関しては偶数次の項のみであるため、上記曲面式により規定される曲面はｙｚ面を対称面とする面対称な形状である。さらに以下の条件が満たされる場合はｘｚ面に対して対称な形状をあらわす。
Ｃ０３＝Ｃ２１＝０
Ｃ０２＝Ｃ２０Ｃ０４＝Ｃ４０＝Ｃ２２／２
Ｃ０５＝Ｃ２３＝Ｃ４１＝０
Ｃ６０＝Ｃ０６＝Ｃ２４／３＝Ｃ４２／３
が満たされる場合は回転対称な形状を表す。以上の条件を満たさない場合は非回転対称な形状である。
【０１１１】
また光学系の実施形態はすべて共軸光学系でないため、近軸理論に基づく焦点距離を直接計算することが困難である。そこで以下の定義による換算焦点距離ｆｅｑを用いる。
【０１１２】
ｆｅｑ＝ｈ１／ｔａｎ（ａｋ′）
なお定義上、反射面が奇数個の場合、焦点距離の符号は通常の符号と逆に表現される。
【０１１３】
ここに
ｈ１：第１面において基準軸に平行で基準軸に無限に近く入射する光線の入射高さ
ａｋ′：該光線が最終面から射出時に基準軸となす角度
である。
【０１１４】
次に数値実施例において、曲率半径Ｒｉの符号は第１面Ｒ１から結像面に進む１点鎖線で示す基準軸に沿って、曲率中心が第１面Ｒ１側にある場合をマイナス、結像面側にある場合をプラスとする。
【０１１５】
またＤｉは第ｉ面と第（ｉ＋１）面間のローカル座標の原点間の間隔を表すスカラー量、Ｎｄｉ，υｄｉは第ｉ面と第（ｉ＋１）面間の媒質の屈折率とアッベ数である。
【０１１６】
有効寸法（Ｘ＊Ｙ）は各面のローカル座標のＸ軸方向とＹ軸方向の有効寸法である。
【０１１７】
以下に、上で説明した本発明の実施形態１〜１７の夫々の実施例１〜１７について数値データを示す。
【０１１８】
【数１】
2007053803.tif 000003
【０１１９】
【数２】
2007053803.tif 000004
【０１２０】
【数３】
2007053803.tif 000005
【０１２１】
【数４】
2007053803.tif 000006
【０１２２】
【数５】
2007053803.tif 000007
【０１２３】
【数６】
2007053803.tif 000008
【０１２４】
【数７】
2007053803.tif 000009
【０１２５】
【数８】
2007053803.tif 000010
【０１２６】
【数９】
2007053803.tif 000011
【０１２７】
【数１０】
2007053803.tif 000012
【０１２８】
【数１１】
2007053803.tif 000013
【０１２９】
【数１２】
2007053803.tif 000014
【０１３０】
【数１３】
2007053803.tif 000015
【０１３１】
【数１４】
2007053803.tif 000016
【０１３２】
【数１５】
2007053803.tif 000017
【０１３３】
【数１６】
2007053803.tif 000018
【０１３４】
【数１７】
2007053803.tif 000019
【０１３５】
【数１８】
2007053803.tif 000020
【０１３６】
【数１９】
2007053803.tif 000021
【０１３７】
【数２０】
2007053803.tif 000022
【０１３８】
【数２１】
2007053803.tif 000023
【０１３９】
【数２２】
2007053803.tif 000024
【図面の簡単な説明】
【０１４０】
【図１】本発明の画像読み取り結像光学系の実施形態１の要部外略図
【図２】本発明の画像読取装置の実施形態１の要部外略図
【図３】本発明の画像読み取り結像光学系の実施形態１の収差図
【図４】本発明の画像読み取り結像光学系の実施形態２の要部外略図
【図５】本発明の画像読取装置の実施形態２の要部外略図
【図６】本発明の画像読み取り結像光学系の実施形態２の収差図
【図７】本発明の画像読み取り結像光学系の実施形態３の要部外略図
【図８】本発明の画像読取装置の実施形態３の要部外略図
【図９】本発明の画像読み取り結像光学系の実施形態３の収差図
【図１０】本発明の画像読み取り結像光学系の実施形態４の要部断面図
【図１１】本発明の画像読み取り結像光学系の実施形態５の要部断面図
【図１２】本発明の画像読み取り結像光学系の実施形態６の要部断面図
【図１３】本発明の画像読み取り結像光学系の実施形態７の要部断面図
【図１４】本発明の画像読み取り結像光学系の実施形態８の要部断面図
【図１５】本発明の画像読み取り結像光学系の実施形態９の要部概略図
【図１６】本発明の画像読取装置の実施形態９の要部概略図
【図１７】本発明の画像読み取り結像光学系の実施形態１０の要部概略図
【図１８】本発明の画像読取装置の実施形態１０の要部概略図
【図１９】本発明の画像読み取り結像光学系の実施形態１１の要部概略図
【図２０】本発明の画像読取装置の実施形態１１の要部概略図
【図２１】本発明の画像読み取り結像光学系の実施形態１２の要部概略図
【図２２】本発明の画像読取装置の実施形態１２の要部概略図
【図２３】本発明の画像読み取り結像光学系の実施形態１３の要部概略図
【図２４】本発明の画像読取装置の実施形態１３の要部概略図
【図２５】本発明の画像読み取り結像光学系の実施形態１４の要部概略図
【図２６】本発明の画像読取装置の実施形態１４の要部概略図
【図２７】本発明の画像読み取り結像光学系の実施形態１５の要部概略図
【図２８】本発明の画像読取装置の実施形態１５の要部概略図
【図２９】本発明の画像読み取り結像光学系の実施形態１６の要部概略図
【図３０】本発明の画像読取装置の実施形態１６の要部概略図
【図３１】本発明に係る結像光学素子のオフアキシャル光学系の定義を説明する図
【図３２】従来のキヤリッジ一体型走査光学系の配置例を示す図
【図３３】従来のカラー画像読取装置を説明する要部概略図
【図３４】本発明の画像読み取り結像光学系の実施形態１７の要部断面図
【図３５】本発明の画像読み取り結像光学系の実施形態１７の収差図
【図３６】本発明の画像読み取り装置の実施形態１７の要部概略図
【符号の説明】
【０１４１】
１  照明光源
２  原稿台ガラス
３ａ，３ｂ，３ｃ  反射ミラー
４  結像光学系
４ａ〜４ｋ  結像光学素子
５  読取手段（ラインセンサー）
６  キャリッジ
７  副走査モーター
８  原稿
【図１】
2007053803.tif 000025
【図２】
2007053803.tif 000026
【図３】
2007053803.tif 000027
【図４】
2007053803.tif 000028
【図５】
2007053803.tif 000029
【図６】
2007053803.tif 000030
【図７】
2007053803.tif 000031
【図８】
2007053803.tif 000032
【図９】
2007053803.tif 000033
【図１０】
2007053803.tif 000034
【図１１】
2007053803.tif 000035
【図１２】
2007053803.tif 000036
【図１３】
2007053803.tif 000037
【図１４】
2007053803.tif 000038
【図１５】
2007053803.tif 000039
【図１６】
2007053803.tif 000040
【図１７】
2007053803.tif 000041
【図１８】
2007053803.tif 000042
【図１９】
2007053803.tif 000043
【図２０】
2007053803.tif 000044
【図２１】
2007053803.tif 000045
【図２２】
2007053803.tif 000046
【図２３】
2007053803.tif 000047
【図２４】
2007053803.tif 000048
【図２５】
2007053803.tif 000049
【図２６】
2007053803.tif 000050
【図２７】
2007053803.tif 000051
【図２８】
2007053803.tif 000052
【図２９】
2007053803.tif 000053
【図３０】
2007053803.tif 000054
【図３１】
2007053803.tif 000055
【図３２】
2007053803.tif 000056
【図３３】
2007053803.tif 000057
【図３４】
2007053803.tif 000058
【図３５】
2007053803.tif 000059
【図３６】
2007053803.tif 000060